(57)【特許請求の範囲】
【請求項１】
室内側と室外側に障子嵌挿部を平行に有する上枠材において、室内側嵌挿部の横幅壁に部品付設部とビスホールを設け、ビスホールに障子引寄せ傾斜部を有することを特徴とするサッシ窓枠。
【請求項２】
部品付設部に室内引寄せブロックを固定し、室内引寄せブロックにビスホールの障子引寄せ傾斜部に連続する傾斜面を形成し、室内側嵌挿部を室内障子の走行部と成すことを特徴とする請求項１記載のサッシ窓枠。
【請求項３】
室内側嵌挿部の一区間に上部補助材を取付け、残り区間を上部塞材で塞ぎ、上部補助材にガラス嵌挿溝を形成していることを特徴とする請求項１記載のサッシ窓枠。
【発明の詳細な説明】
【０００１】
【発明の属する技術分野】
本発明は、建物の開閉部に取付けるサッシ窓枠に関する。
【０００２】
【従来の技術】
建物の開口部に取付けるサッシ窓枠は、窓枠の使用目的に応じて、例えば片引き障子用、引違い障子用、嵌め殺し用、回転窓用等に形成されている。しかし施工現場でサッシ窓の用途が変更されることがあった場合、新しい用途に応じたサッシ窓を取寄せなければならない間題点があった。また窓枠をサッシ窓の用途毎に構成すると、高価になる問題点もあった。
【０００３】
【発明が解決しようとする課題】
そこでこの発明は、従来技術の備えるこのような問題点に鑑みてなされたものであり、その目的とするところは、片引き障子用と引違い障子用の両様に使用し得るサッシ窓枠を提供することにある。
【０００４】
【課題を解決するための手段】
上記課題を達成するために、本発明のサッシ窓枠は、室内側と室外側に障子嵌挿部を有する上枠材において、室内側嵌挿部の横幅壁に部品付設部とビスホールを設け、ビスホールに障子引寄せ傾斜部を形成するものである。
そして本発明のサッシ窓枠は、上記手段に加えて、部品付設部に室内引寄せブロックを固定し、室内引寄せブロックにビスホールの障子引寄せ傾斜部に連続する傾斜面を形成し、室内側嵌挿部を室内障子の走行部として用いるか、室内側嵌挿部の一区間に上部補助材を取付け、残り区間を上部塞材で塞ぎ、上部補助材にガラス嵌挿溝を有するものである。
【０００５】
【発明の実施の形態】
発明の実施の形態を実施例に基づき図面を参照して説明する。
本発明によるサッシ窓枠を実施例を示す図１〜２に基づき説明すると、室内障子Ｃと室外障子Ｄを開閉走行自在に嵌挿する引違い式サッシ窓枠Ｆと、室内障子Ｃの代わりに、室内側の一区間を嵌殺しにし、室外障子Ｄのみを開閉走行する片引きサッシ窓枠Ｆの二様に使用し得るものである。
サッシ窓枠Ｆは上枠材１と下枠材２、及び左右縦枠材３，４から構成され、室内障子Ｃは上框ｃ１と下框ｃ２、召合框ｃ３、及び戸当框ｃ４から構成され、室外障子Ｄは上框ｄ１と下框ｄ２、召合框ｄ３、及び戸当框ｄ４から構成され、両障子Ｃ，Ｄの上框ｃ１，ｄ１に上部引寄せブロック３１を上下動可能に備えると共に、下框ｃ２，ｄ２に下部引寄せブロック３２を上下動可能に備えている。
【０００６】
上枠材１は室内側と室外側に障子嵌挿部Ａ，Ｂを平行に設け、室内側嵌挿部Ａは横幅壁１１より垂下する内側壁１２と溝側壁１３にて形成し、横幅壁１１に部品付設部１５とビスホール１６を設け、ビスホール１６に障子引寄せ傾斜部１７を形成し、室外側嵌挿部Ｂは横幅壁１１より外レール１４を垂下している。
この上枠材１を引違い式サッシ窓枠に用いる場合、部品付設部１５に図３に示すように室内引寄せブロック５を取付け、室内側嵌挿部Ａを室内障子Ｃの走行部とし、片引きサッシ窓枠に用いる場合、図６に示すように室内側嵌挿部Ａの一区間に上部補助材６を取付け、残り区間を図５に示すように上部塞材７で塞ぐ。
【０００７】
室内引寄せブロック５は図３と図８に示すように、部品付設部１５に固定する取付部５ａと、溝側壁１３の突出部１ｂに系止する系止部５ｃと、障子引寄せ傾斜部１７に連続する傾斜面５ｂを形成し、室内障子Ｃの閉鎖時に上部引寄せブロック３１を上昇した時、上部引寄せブロック３１が傾斜面５ｂと傾斜部１７に接し、それによって室内障子Ｃの上部を室内側に寄せる。
上部補助材６は図６と図９（Ａ）に示すように、室内側嵌挿部Ａに挿入する呑込部６ａに、内側壁１２の突出部１ａに系止する系止部６ｂと、溝側壁１３の突出部１ｂに系止する系止部６ｃを設け、下枠材２に向けて開口するガラス嵌挿溝６１を有する。嵌挿溝６１の一部をガラスＧの嵌挿後に取付けるタイト押え６２とすることも可能である。
上部塞材７は図５と図９（Ｂ）に示すように、室内側嵌挿部Ａの開口幅に相当する平板部７ａに内側壁１２の突出部１ａに系止する系止部７ｂと、溝側壁１３の突出部１ｂに系止する系止部７ｃを有する。
【０００８】
下枠材２は室内側と室外側に障子嵌挿部Ａ，Ｂを平行に設け、レール支持壁２１の室内側嵌挿部Ａに内レール２５を、室外側嵌挿部Ｂに外レール２４を設け、内レール２５より室外側に室外障子Ｄの振止壁２７を設け、該振止壁２７の先に室外向きに開口する横向溝２８を設けている。
この下枠材２を引違い式サッシ窓枠に用い、室内障子Ｃの閉鎖時に図４に示すように下部引寄せブロック３２を下降した時、下部引寄せブロック３２は内レール２５に接し、それによって室内障子Ｃの下部を室内側に寄せる。
【０００９】
片引きサッシ窓枠として用いる場合、図５と図７に示すように下枠材２の室内側嵌挿部Ａに内側壁２２と溝側壁２３を起立し、内側壁２２と溝側壁２３の間にガラス嵌挿溝２６を形成し、溝側壁２３の室外側に室外障子Ｄの振止壁２７を、該振止壁２７の先に室外向きに開口する横向溝２８を設け、上部塞材７と相対するガラス嵌挿溝２６の一区間を下部塞材８で塞ぎ、残り区間の嵌挿溝２６と上部補助材６の間にガラスＧを嵌込み、嵌殺し区間にする。
下部塞材８は室内側嵌挿部Ａの開口幅に相当する平板部８ａの室外側に支持壁８ｂを設け、平板部８ａを下枠材内側壁２２の突出部２ａに載置し、ビスＳにて固定するか、支持壁８ｂをビスＳにて固定し、上部塞材７の区間に対応して取付ける。
【００１０】
左縦枠材３は図２に示すように、横幅壁３ａに外障子９の戸当框ｄ４に対応する位置に案内片３ｂを形成し、右縦枠材４は横幅壁４ａに内障子Ｃの戸当框ｃ４に対応する位置に案内片４ｂを形成しており、左縦枠材３の案内片３ｂは室内障子Ｃの戸当框ｃ４に取付けた横引寄せブロック９に対応して室外側に折曲し、右縦枠材４の案内片４ｂは室外障子Ｄの戸当框ｄ４に取付けた横引寄せブロック９に対応して室外側に折曲している。
【００１１】
上枠材１の内側壁１２と溝側壁１３の突出部１ａ，１ｂ、及び下枠材内側壁２２の突出部２ａを、下枠材２の横向溝２８と同様の横向溝とし、突出部１ａ，１ｂ，２ａにタイト材Ｔを嵌挿し、両障子Ｃ，Ｄの閉鎖時に強制的に室内側に引寄せた時に当接するようにすれば、極めて密閉性の高いサッシを実現し得る。
室内障子Ｃと室外障子Ｄは、下框ｃ２，ｄ２に夫々戸車Ｒを軸支している。
【００１２】
【発明の効果】
本発明のサッシ窓枠は上記のとおりであるから、次に記載する効果を秦する。上枠材の室内側嵌挿部に部品付設部とビスポールを設け、ビスホールに障子引寄せ傾斜部を形成し、部品付設部に室内引寄せブロックを固定した時、室内引寄せブロックの傾斜面とビスホールの障子引寄せ傾斜部に連続するので、室内障子の閉鎖時に上部引寄せブロックを上昇した時、上部引寄せプロックがビスホール傾斜面と室内引寄せブロック傾斜部に接し、それによって室内障子の上部を室内側に寄せることができる。
即ち、室内側嵌挿部を室内障子の走行部とする障子引違いサッシに用いることもできる。
【００１３】
また上枠材の室内側嵌挿部の一区間に上部補助材を取付け、残り区間を上部塞材で塞ぎ、上部補助材の取付け区間を嵌め殺部にし得るので、室外障子のみを開閉走行する障子片引きサッシに用いることもできる。即ち、上枠材を片引き障子用と引違い障子用の両様に使用し得る。しかも上枠材に対する室内引寄せプロックの着脱、及び上部補助材と上部塞材の着脱も容易であるから、引違い障子から片引き障子への変更、片引き障子から引違い障子への変更も容易である。
【図面の簡単な説明】
【図１】本発明サッシ窓枠の障子引違い式使用例を示す概略縦断面図である。
【図２】その概略横断面図である。
【図３】障子の引寄せ状態の前（Ａ）及び、後（Ｂ）を示す上部断面図である。
【図４】障子の引寄せ状態の前（Ａ）及び、後（Ｂ）を示す下部断面図である。
【図５】障子片引き式の開放部の概略縦断面図である。
【図６】障子片引き式の嵌殺し部の概略縦断面図である。
【図７】下枠材の室内側嵌挿部の閉鎖状態を示す要部断面図である。
【図８】室内引寄せブロックの正面図（Ａ）と側面図（Ｂ），（Ｃ）である。
【図９】上部補助材の側面図（Ａ）と蓋塞材の側面図（Ｂ）である。
【符号の説明】
Ｆ・・サッシ窓枠
１・・上枠材
２・・下枠材
３，４・・縦枠材、３ｂ，４ｂ・・案内片
５・・室内引寄ブロック、５ａ・・取付部、５ｂ・・傾斜面
６・・上部補助材、６１・・ガラス嵌挿溝
７・・上部塞材
８・・下部塞材
９・・横引寄せブロック
１１，３ａ，４ａ・・横幅壁
１５・・部品付設部、１６・・ビスホール、１７・・障子引寄せ傾斜部
３１・・上部引寄せブロック、３２・・下部引寄せブロック
Ａ，Ｂ・・障子嵌挿部
Ｃ・・室内障子、Ｄ・・室外障子
ｃ１，ｄ１・・上框、ｃ２，ｄ２・・下框
ｃ３，ｄ３・・召合框、ｃ４，ｄ４・・戸当框
Ｇ・・ガラス、Ｒ・・戸車、Ｓ・・ビス
Ｔ・・タイト材
【図１】
0003648737.tif 000002
【図２】
0003648737.tif 000003
【図３】
0003648737.tif 000004
【図４】
0003648737.tif 000005
【図５】
0003648737.tif 000006
【図６】
0003648737.tif 000007
【図７】
0003648737.tif 000008
【図８】
0003648737.tif 000009
【図９】
0003648737.tif 000010